(57)【特許請求の範囲】
【請求項１】
板状部材、あるいは、全外周面が突起部、引っ掛り部および角部の無い２枚の板状部材と、揃えて重ね合せた全マイラーを２枚の該板状部材間に挟んだ状態でその外周を締結する紐状部材とにより構成されることを特徴とするパラグライダーの収納具。
【請求項２】
２枚の前記板状部材が１枚の布部材の表面に並べて固定することにより一体化され、２枚の板状部材の中間で布部材を折り曲げ可能に構成されていることを特徴とする請求項１に記載のパラグライダーの収納具。
【請求項３】
２枚の前記板状部材が１枚の布部材の表面に並べて固定することにより一体化され、２枚の板状部材の中間で布部材を折り曲げ可能に設け、かつ、２枚の該板状部材間に挟んだ状態でその外周を締結する紐状部材とにより構成されることを特徴とする請求項１または２記載のパラグライダーの収納具。
【請求項４】
前記布部材が、短辺方向に二つ折りにした状態でパラグライダーの畳んだ機体を収納可能な広さを持つ略矩形に形成されるとともに、二つ折りにした状態で重ね合わせられる３辺にファスナーを設けられ、長辺方向の一方の端部に２枚の前記板状部材を短辺方向に並べて配置されていることを特徴とする請求項２に記載のパラグライダーの収納具。
【請求項５】
前記布部材の両脇に、それぞれ余片を取り外し可能に設け、該余片にもファスナー等の連結具を設け、布部材と両余片とでパラグライダーの機体を手繰り合わせてある程度に纏めて載置する広さの略矩形に形成されるとともに、余片同志を連結し、下部も閉じることにより、略バケツ状に形成し、一時的にパラグライダーの機体を収納するよう構成することを特徴とする請求項２または３または４に記載のパラグライダーの収納具。
【発明の詳細な説明】
【０００１】
【発明の属する技術分野】
本発明は、使用後のパラグライダー（正確にはパラグライダーの機体）を保管あるいは運搬するための収納方法および収納するための収納具に関する。
【０００２】
【従来の技術】
図５に示すように、気流に乗って大空を自由に飛行漫遊するパラグライダーは、飛行を終って地上に降立つと、保管および運搬のために、大きく広がった状態から出来るだけ小さく纏めて収納する必要がある。従来は、極薄・軽量の布で出来た横長形状のパラグライダーの機体を端部から順次巻込むように折畳む、あるいは二分の一、四分の一と順次折畳んで小さな塊状とし、収納袋に入れて収納している（例えば、非特許文献１参照。）。
【０００３】
また、緊急時に、パラグライダーの機体を瞬時にまとめて移動する必要がある場合、あるいは、足元（地面）のぬかるんでいる場所での収納にはパラグライダーの機体が泥水等で汚れてしまい、問題があった。
【０００４】
【非特許文献１】
「月刊パラワールド」イカロス出版株式会社、２００２年１０月号、ｖｏｌ．１３２、ｐ．８上から二番目の写真、Ｐ．９１下の写真
【０００５】
【発明が解決しようとする課題】
従来のパラグライダーの機体の収納方法は以上のように行われていたため、つぎのような課題が存在していた。すなわち、従来の収納方法では、パラグライターの機体の構成部品が変形して損傷する場合があった。パラグライダーの機体には、横長方向の等間隔の位置において、幅方向に設けられたリブ用布材の前縁部にマイラーが装着されている。（図６参照）マイラーは、通常、軽量かつ剛性を有するグラスウール等のフィルムでコーティングされたセールをいい、飛行中に機体の前縁開口部を確実に開口し空気を取入れて膨らまし、正常な翼形を形成する役目を果している。
【０００６】
しかし、前述のように折畳んで収納袋に収納する際に、マイラーに注意を払うこと無く不用意に収納したり、無理に押込んだりすると、マイラーが曲げられた状態で、また極端な場合は折り曲げられた状態で収納される場合がある。そのような場合に、収納中のマイラーに曲げられたり折り曲げられた状態の変形した癖がつき、変形損傷する。変形損傷したマイラーは、飛行中に機体の前縁開口部を確実に開口する役目を果せなくなり、機体がつぶれ易くなる。その結果、安定した飛行が出来なくなり、急激な降下などにより人身事故に繋がる可能性がある。
【０００７】
本発明は以上のような課題を解決するためになされたものであり、マイラーを曲げたり折り曲げたりして変形損傷することなく、正常な平板状態で収納すること可能にする収納方法および収納方法を実現するための収納具を提供することを目的とする。
【０００８】
【課題を解決するための手段】
本発明によるパラグライダーの収納方法は、パラグライダーの機体の収納に際し、まず全マイラーを配置順に寄集めて重ね合せ、揃えて重ね合せた状態で固定保持し、その後機体を畳むことを特徴とする収納方法である。
【０００９】
本発明によるパラグライダーの収納具は、板状部材、あるいは、全外周面が突起部、引っ掛り部および角部の無い２枚の板状部材と、揃えて重ね合せた全マイラーを２枚の該板状部材間に挟んだ状態でその外周を締結する紐状部材とにより構成されることを特徴とする収納具である。
【００１０】
詳細には、２枚の前記板状部材が１枚の布部材の表面に並べて固定することにより一体化され、２枚の板状部材の中間で布部材を折り曲げ可能に構成されていることを特徴とする収納具である。
【００１１】
詳細には、前記布部材が、短辺方向に二つ折りにした状態でパラグライダーの畳んだ機体を収納可能な広さを持つ略矩形に形成されるとともに、二つ折りにした状態で重ね合わせられる３辺にファスナーを設けられ、長辺方向の一方の端部に２枚の前記板状部材を短辺方向に並べて配置されていることを特徴とする収納具である。
【００１２】
【発明の実施の形態】
以下、図面とともに本発明によるパラグライダーの収納方法および収納具の好適な実施の形態について詳細に説明する。図１は本発明によるパラグライダーの収納具の第１実施例を示す図、図２は第２実施例を示す図、図３は第３実施例を示す図、図４は、第４実施例を示す図、図５は、パラグライダーの一実施例を示す斜視図、図６は、パラグライダーのマイラーを示す一部欠截拡大図である。
【００１３】
図１において、符号１で示すものは板状部材であり、符号２で示すものは紐状部材である。該板状部材（１）は略矩形形状に形成された板材であり、パラグライダーの機体を構成する極薄の布を損傷しないように、全外周面が突起部、引っ掛り部および角部の無い状態に形成されている。該板状部材（１）の材料としては弾性変形可能なスポンジ、ゴム等が適しているが、木材、プラスチックあるいは金属等の薄板でも良い。材料は布を損傷しないように加工されていればそのまま使用しても良く、また布で包んで構成しても良い。また、該板状部材１はパラグライダーのマイラー（Ｘ）全面を固定保持できるようにマイラー（Ｘ）の大きさ以上の略矩形形状に形成されることが望ましいが、マイラー（Ｘ）を部分的に固定保持する形状に構成されても良い。
【００１４】
図１の実施例では、背面の２箇所を平行に横断して帯状に補強部材（３）を設けて補強されている場合が示されているが、２箇所に限定されるものではなく、補強部材（３）は設けられなくても良い。該補強部材（３）の材料も前記板状部材（１）と同様の材料が使用され、機体の薄い布を損傷しないように考慮が払われている。前記紐状部材（２）は締結可能に構成されたベルトであり、図（ｃ）に示すように両端に面ファスナー（２ａ、２ｂ）を設けて構成されても良く、締結具により締結可能に構成されても良い。該紐状部材（２）は前記板状部材（１）の前記補強部材（３）の外側に掛けて締結する。すなわち、パラグライダーの機体の収納具は、２枚の前記板状部材（１）および１本あるいは複数本の前記紐状部材（２）により構成される。
【００１５】
図２において、符号４で示すものは布部材である。該布部材（４）は、２枚の前記板状部材（１）を所定間隔すなわち全マイラー（Ｘ）を重ね合せた厚みと略同等の間隔をとって並列状態に並べて固定保持し得る大きさに形成されている。なお、図２では、幅(図の上下方向)が前記板状部材（１）の高さ寸法よりも僅かに短く、前記板状部材（１）の一方の板状部材１の外側（図の右側）に余長部を形成されているが、幅の寸法に限定はなく、余長部を設けなくても良い。すなわち、パラグライダーの収納具は、前記布部材（４）の一方の表面に所定間隔をとって並列に並べて固定され、一体化されている２枚の前記板状部材（１）と、１本あるいは複数本の前記紐状部材（２）とにより構成されている。図２では、２本の前記紐状部材２が前記布部材（４）の背面の２箇所を平行に横断して一体化して設けられているが、紐状部材（２）と布部材（４）とを一体化しなくても良い。
【００１６】
図３において、符号５で示すものは布製カバーである。該布製カバー（５）は、幅方向（図の左右方向）に二つ折りにした状態で、空気を抜いて長辺方向に寄集めて畳んだパラグライダーの機体を収納するに充分な大きさの長さおよび幅を持つ略矩形状に形成されている。なお、図３の事例では、長辺方向の一端側の両角部が切除されている略矩形状の場合が示されている。前記布製カバー（５）の長辺方向（図の上下方向）の一端側すなわち両角部が切除されている側に、２枚の前記板状部材（１）が前述の所定間隔をとって左右に並べて設けられている。
【００１７】
前記布製カバー（５）の周囲には、幅方向に二つ折りにした状態で重ね合わせられる３辺を順次閉じるようにファスナー（６）が設けられている。すなわち、パラグライダーの収納具は、一方の表面の一端側に２枚の前記板状部材（１）を所定間隔をとって並列に並べて固定し一体化するとともに前記ファスナー（６）を設けた前記布製カバー（５）と、図３には図示しない複数本の前記紐状部材（２）とにより構成されている。なお、前記紐状部材（２）は、前記布製カバー（５）の背面に一体化して設けても良い。
【００１８】
なお、図３の事例では、長辺方向の一端側の両角部が切除されている略矩形状の場合が示されている。前記布製カバー５の長辺方向（図の上下方向）の一端側すなわち両角部が切除されている側に、２枚の前記板状部材（１）が前述の所定間隔をとって左右に並べて設けられている。
【００１９】
図４において、符号５で示すものは布製カバーである。該布製カバー５の両脇に、それぞれ余片（７）（７）を取り外し可能に設け、該余片（７）にもファスナー（６）等の連結具を設け、空気を抜いて長辺方向に寄集めて畳んだパラグライダーの機体を収納するに充分な大きさの布部材（５）と両余片（７）（７）とでパラグライダーの機体を手繰り合わせてある程度に纏めて載置する広さの略矩形に形成されるとともに、余片（７）（７）同志をファスナー（６）で連結し、下部も閉じることにより、略バケツ状に形成し、一時的にパラグライダーの機体を収納するよう構成してもよい。
【００２０】
以上のように構成されたパラグライダーの収納具において、パラグライダーの機体は以下のように収納される。すなわち、まず、広がっているパラグライダーの機体において、全てのマイラー（Ｘ）を端から順次配置順に寄集め、揃えて重ね合せる。この際、パラグライダーの機体の布も同時に寄集められる。つぎに、図１に示す収納具において、揃えて重ね合せられたマイラー（Ｘ）の両側にそれぞれ板状部材１をあてがい、その外周に紐状部材２を巻付けて面ファスナー（２ａ）（２ｂ）により締結する。図１に示すように補強部材（３）が設けられている場合は補強部材（３）の外周に紐状部材（２）を巻付けて締結する。その後、寄集められた機体の布を適宜揃えて畳み、必要に応じて紐等により結束し、機体の布部分を適宜折畳んで収納袋に収納する。
【００２１】
揃えて重ね合せられたマイラーに対し、図２に示す収納具についても図１に示す収納具と同様に収納することが出来る。すなわち、布部材４に固定された２枚の板状部材１を揃えて重ね合せられたマイラー（Ｘ）の両側にあてがい、紐状部材２を締付けて面ファスナー２ａ、２ｂにより締結する。その後同様に、寄集められた機体の布を適宜揃えて畳み、必要に応じて紐等により結束し、機体の布部分を適宜折畳んで収納袋に収納する。
【００２２】
図３に示す収納具の場合、まず、マイラー（Ｘ）部が板状部材１に位置するように寄集めた機体を図のように開いた布製カバー（５）の上に載せる。つぎに、マイラー（Ｘ）を揃えて重ね合せ、布製カバー（５）を折り曲げて重ね合せたマイラー（Ｘ）の両側に板状部材（１）をあてがい、板状部材（１）の外周においてファスナー（６）を閉じる。ファスナー（６）を閉じることにより、２枚の板状部材（１）の間にマイラー（Ｘ）が保持されるが、必要に応じて布製カバー（５）の外側に紐状部材（２）を巻付けて面ファスナー（２ａ）（２ｂ）により締結する。その後、機体の布を布製カバー（５）の内部に入るように適宜揃えて畳み、布製カバー（５）を折り曲げて包み込み、ファスナー（６）を閉じる。
【００２３】
ファスナー（６）を閉じて細長い袋状になった布製カバー（５）は、それ自体がパラグライダーの機体を保護することが可能であり、適宜に折畳んで紐等で締結し、小型の荷物とすることが出来る。なお、図３および図４に示す収納具では、板状部材（１）が布製カバー（５）と一体化されているが、図１あるいは図２に示す構成によりマイラー部を固定保持した状態で布製カバー（５）に収納しても良い。
【００２４】
【発明の効果】
本発明によるパラグライダーの収納方法および収納具は以上のように構成されていることにより、以下のような効果を得ることができる。
（１）  パラグライダーの機体の収納に際し、まず全マイラーを配置順に寄集めて重ね合せ、揃えて重ね合せた状態で固定保持することにより、従来の箇々にバラバラの状態と比較して容易に曲げられず、変形損傷しなくなり、正常な平板状態で収納することが可能になった。
（２）  収納具が、全外周面が突起部、引っ掛り部および角部の無い２枚の板状部材と、揃えて重ね合せた全マイラーを２枚の板状部材間に挟んだ状態でその外周を締結する紐状部材とにより構成されることにより、また、２枚の板状部材が１枚の布部材の表面に並べて固定することにより一体化され、２枚の板状部材の中間で布部材を折り曲げ可能に構成されていることにより、全マイラーを確実に正常な平板状態で固定保持することが可能になるとともに、パラグライダーの機体を構成する極薄の布が収納具により損傷することはない。
（３）  収納具の布部材が、短辺方向に二つ折りにした状態でパラグライダーの畳んだ機体を収納可能な広さを持つ略矩形に形成されるとともに、二つ折りにした状態で重ね合わせられる３辺にファスナーを設けられ、長辺方向の一方の端部に２枚の前記板状部材を短辺方向に並べて配置されていることにより、全マイラーを確実に正常な平板状態で固定保持するとともに、パラグライダーの機体を構成する極薄の布を損傷することなく容易に収納することが可能になった。
（４）  布製カバーの両脇に、それぞれ余片を取り外し可能に設け、該余片らにもファスナー等の連結具を設け、空気を抜いて長辺方向に寄集めて畳んだパラグライダーの機体を収納するに充分な大きさの布部材と両余片とでパラグライダーの機体を手繰り合わせてある程度に纏めて載置する広さの略矩形に形成されるとともに、余片同志をファスナーで連結し、下部も閉じることにより、略バケツ状に形成し、一時的にパラグライダーの機体を収納することができる。
【図面の簡単な説明】
【図１】  本発明によるパラグライダーの収納具の第１実施例を示しており、（ａ）は収納具を構成する板状部材の正面図、（ｂ）は（ａ）の矢視ｂ−ｂ側面図、（ｃ）は収納具を構成する紐状部材の正面図である。
【図２】  本発明によるパラグライダーの収納具の第２実施例を示しており、（ａ）は収納具の正面図、（ｂ）は（ａ）の矢視ｂ−ｂ側面図である。
【図３】  本発明によるパラグライダーの収納具の第３実施例を示す正面図である。
【図４】  本発明によるパラグライダーの収納具の第４実施例を示す正面図である。
【図５】  本発明によるパラグライダーの斜視図である。
【図６】  本発明によるパラグライダーのマイラーの一部欠截拡大図である。
【符号の説明】
１          板状部材
２          紐状部材
２ａ、２ｂ  面ファスナー
３          補強部材
４          布部材
５          布製カバー
６          ファスナー
７          余片
Ｘ          マイラー
【図１】
0003721417.tif 000002
【図２】
0003721417.tif 000003
【図３】
0003721417.tif 000004
【図４】
0003721417.tif 000005
【図５】
0003721417.tif 000006
【図６】
0003721417.tif 000007